【手続補正書】
【提出日】平成30年6月27日(2018.6.27)
【手続補正１】
【補正対象書類名】明細書
【補正対象項目名】発明の名称
【補正方法】変更
【補正の内容】
【発明の名称】服
【手続補正２】
【補正対象書類名】明細書
【補正対象項目名】０００１
【補正方法】変更
【補正の内容】
【０００１】
本発明は、服内に空気の流れを生じさせる送風手段を取り付けるための取付部を備える服に関するものである。
【手続補正３】
【補正対象書類名】明細書
【補正対象項目名】０００８
【補正方法】変更
【補正の内容】
【０００８】
上記課題を達成するため、この発明は、
服内に空気の流れを生じさせる送風手段を取り付けるための取付部を備える服であって、
命綱が貫通する命綱貫通部を備え、
前記命綱貫通部は、当該命綱貫通部からの空気の漏れを防止する第１空気漏れ防止手段を備え、
前記第１空気漏れ防止手段は、紐通し部と、前記紐通し部に通された紐と、前記紐に取り付けられたコードストッパーと、を有することを特徴とする服である。
【手続補正４】
【補正対象書類名】明細書
【補正対象項目名】０００９
【補正方法】変更
【補正の内容】
【０００９】
本発明の服には、第１空気漏れ防止手段が設けられた命綱貫通手段が備えられているので、ハーネス型安全帯を着用した上に着用した場合でも、服の命綱貫通手段を貫通した命綱近傍からの空気漏れがなく、服内に空気の流れを生じさせる送風手段を取り付けた場合に十分な冷却効果を得ることができる。
【手続補正５】
【補正対象書類名】明細書
【補正対象項目名】００１４
【補正方法】変更
【補正の内容】
【００１４】
服本体１０は、通気性の小さな又は通気性のないシート状素材で、上半身及び腕部を覆う形状に作製されている。例えば、本実施形態では、服本体１０をブルゾン型の上衣の形状に作製している。服本体１０には、前身頃の第１開閉手段１１と、２つの開口孔１４，１４と、裾部の第２空気漏れ防止手段１３と、袖口や襟部に形成された空気排出部１２と、背上部に設けられた第２開閉手段１５と、ワイヤー貫通手段２が設けられている。前身頃の第１開閉手段１１は、服本体１０を着用する際に、服本体１０の前部を開閉するためのものである。ここでは、前身頃の第１開閉手段１１としてファスナーを用いている。
【手続補正６】
【補正対象書類名】明細書
【補正対象項目名】００１６
【補正方法】変更
【補正の内容】
【００１６】
裾部の第２空気漏れ防止手段１３は、服本体１０の所定の端部に設けられた、服本体１０と身体又は下着との間の空間内の空気が当該端部から外部に漏れるのを防ぐためのものである。本実施形態では、服本体１０の裾部に、例えば、ゴム紐等、伸縮性のある部材を設けている。このため、服本体１０の裾部は伸縮性のある部材により絞り込まれて身体又は下着に密着するようになる。
【手続補正７】
【補正対象書類名】明細書
【補正対象項目名】００１８
【補正方法】変更
【補正の内容】
【００１８】
ワイヤー貫通手段２は、図２及び図３に示すように一方の端部が背上部に設けられたフック貫通孔ＨＬ３１を開閉する第２開閉手段１５を囲むように服地の裏面に接合され、他方の端部に第１空気漏れ防止手段２３が設けられた通気性の小さな又は通気性のないしなやかな（折り曲げ自在な）シート状素材により筒状に作製されている。
また、ワイヤー貫通手段２の素材としては、服本体１０と同じ素材を用いてもよいし、別の素材（例えば、ビニール等）、通気性の小さな又は通気性のないしなやかな（折り曲げ自在な）素材であれば何であってもよい。
【手続補正８】
【補正対象書類名】明細書
【補正対象項目名】００１９
【補正方法】変更
【補正の内容】
【００１９】
ワイヤー貫通手段２について、より具体的に説明する。
背上部の服地の裏面に接合される端部（内側端部ＴＭ３１）の周長は第２開閉手段１５の長さＦＬの二倍より十分に長く、他端（外側端部ＴＭ３２）の周長は内側端部ＴＭ３１の周長より短く、また内側端部ＴＭ３１から外側端部ＴＭ３２までの長さ（服地の裏面に接合される部分を除くワイヤー貫通手段２の全長）Ｌは、後述の第１空気漏れ防止手段２３を形成するのに十分な長さを有するものである。
また、例えば、内側端部ＴＭ３１の周長及び外側端部ＴＭ３２の周長は、ハーネス型安全帯ＨＮ８１の背上部にワイヤーＷＲ８１によって連結されるフックＨＫ８１が、通過可能な長さを有するものである。
【手続補正９】
【補正対象書類名】明細書
【補正対象項目名】００２０
【補正方法】変更
【補正の内容】
【００２０】
次に、第１空気漏れ防止手段２３について説明する。
外側端部ＴＭ３２の周囲には紐２３２（或いは、コード）を通すための紐２３２の引出口を有する紐通し部２３１が形成されていて、外側端部ＴＭ３２を一周する長さよりも長い紐２３２が通してあり、引出口から外部に突き出した紐２３２の部位にはコードストッパー２３３が施され、ワイヤーに外側端部ＴＭ３２を密接できるようになっている。
【手続補正１０】
【補正対象書類名】明細書
【補正対象項目名】００２５
【補正方法】変更
【補正の内容】
【００２５】
また、第１空気漏れ防止手段２３によりワイヤー貫通手段２の外側端部ＴＭ３２とワイヤーＷＲ４１とは密着している。このため、空調服１を作動させても、当該密着部分からの空気の漏れはないので、通常の空調服と同様にファン４により服本体１０内に大量の空気が取り込まれ、自動的に形成された空気流通路を身体又は下着の表面に沿って上方に流通し、空気排出部１２から排出されるので、効率よく汗を蒸発させ体を冷却することができる。
【手続補正１１】
【補正対象書類名】明細書
【補正対象項目名】００３６
【補正方法】変更
【補正の内容】
【００３６】
また、本実施形態、またその変形例では、第１空気漏れ防止手段２３とし外側端部ＴＭ３２に紐通し部２３１を形成し紐２３２とコードストッパー２３３を用いる場合について説明したが第１空気漏れ防止手段２３はこれに限定したものでなく、例えば、外側端部ＴＭ３２の外側に帯と面ファスナーを取り付けてワイヤーＷＲ４１との間の隙間をなくす等、一般的な各種方法を使用することができる。
【手続補正１２】
【補正対象書類名】明細書
【補正対象項目名】００３８
【補正方法】変更
【補正の内容】
【００３８】
更に、上記の実施形態では、服本体１０をブルゾン型の上衣の形状に作製した場合について説明したが、服本体は、例えばつづき服の形状等、下半身も覆う形状に作製することができる。この場合には裾部の第２空気漏れ防止手段１３は必ずしも必要でなく、裾部の第２空気漏れ防止手段１３を設けない場合にはファン４により導入された空気は下半身にも流通し、足元の裾口から排出される。
【手続補正１３】
【補正対象書類名】明細書
【補正対象項目名】００４０
【補正方法】変更
【補正の内容】
【００４０】
１  空調服
１０  服本体（服）
１１  第１開閉手段
１２  空気排出部
１３  第２空気漏れ防止手段
１４  開口孔（取付部）
１５  第２開閉手段（開閉手段）
１６  収納部
１７  固定手段
２  ワイヤー貫通手段（命綱貫通部）
２３  第１空気漏れ防止手段
２３１  紐通し部
２３２  紐
２３３  コードストッパー
４  ファン（送風手段）
１０１  空調服
１１０  服本体
１３０  空気排出部
１４０  ファン
ＨＬ３１  フック貫通孔
ＴＭ３１  内側端部
ＴＭ３２  外側端部
ＨＮ４１、ＨＮ８１  ハーネス型安全帯
ＷＲ４１、ＷＲ８１  ワイヤー（命綱）
ＨＫ４１、ＨＫ８１  フック
【手続補正１４】
【補正対象書類名】特許請求の範囲
【補正対象項目名】全文
【補正方法】変更
【補正の内容】
【特許請求の範囲】
【請求項１】
服内に空気の流れを生じさせる送風手段を取り付けるための取付部を備える服であって、
命綱が貫通する命綱貫通部を備え、
前記命綱貫通部は、当該命綱貫通部からの空気の漏れを防止する第１空気漏れ防止手段を備え、
前記第１空気漏れ防止手段は、紐通し部と、前記紐通し部に通された紐と、前記紐に取り付けられたコードストッパーと、を有することを特徴とする服。
【請求項２】
前記服の所定の端部に設けられ、当該端部からの空気の漏れを防止する第２空気漏れ防止手段を備えることを特徴とする請求項１に記載の服。
【請求項３】
前記命綱貫通部を前記服内部に格納可能とする開閉手段を備えることを特徴とする請求項１又は２に記載の服。
【請求項４】
前記開閉手段はファスナーであることを特徴とする請求項３に記載の服。
【請求項５】
前記命綱貫通部を収納する収納部を、前記服の内部に備えることを特徴とする請求項１から４のいずれか一項に記載の服。
【請求項６】
前記服の内部において前記命綱貫通部を固定する固定手段を、前記服の内部に備えることを特徴とする請求項１から４のいずれか一項に記載の服。
【請求項７】
送風手段を備えることを特徴とする請求項１から６のいずれか一項に記載の服。